(57)【要約】    【課題】  仕切り体の組み立てを円滑に行うことができると共に、仕切り体における仕切り板の上部の変形が効果的に防がれ、収容かごに対する仕切り体の位置決め及び収容かごからの仕切り体の脱落防止がなされる仕切り体付き収容かご及び仕切り体の提供。    【解決手段】  収容かご１２と、第１仕切り板１４と第２仕切り板１６を直交状に組み立ててなる仕切り体１０からなる。第１仕切り板１４と第２仕切り板１６は、第１仕切り板１４の下開口スリット部ＳＤに第２仕切り板１６の下方嵌挿部ＩＤが嵌挿されると共に、第２仕切り板１６の上開口スリット部ＳＵに第１仕切り板１４の上方嵌挿部ＩＵが嵌挿されることにより、両仕切り板の上端縁部及び下端縁部の高さが一致した直交状に組み立てられ、仕切り体１０を構成する。【選択図】      図２
2007314277.tif 000002
【特許請求の範囲】
【請求項１】
複数の仕切り板からなる仕切り体であって、
前記仕切り板は、一つの仕切り板における下端に開口する下開口スリット部に、他の仕切り板における上端に開口する上開口スリット部の下方に位置する下方嵌挿部が嵌挿されると共に、その上開口スリット部に、前記一つの仕切り板における下開口スリット部の上方に位置する上方嵌挿部が嵌挿されることにより、交差状に組み立てられるものであり、
前記上方嵌挿部の両面における上開口スリット部に嵌挿される部分の両側に、その上開口スリット部を挟む両側部を案内支持する仕切り板案内支持部が設けられていることを特徴とする仕切り体。
【請求項２】
上記各仕切り板の下端縁部及び外側縁部に、それぞれ取付け対象物の所定部位に嵌合させて位置決めするための下方突部及び外方突部が設けられている請求項１記載の仕切り体。
【請求項３】
上記下方嵌挿部の両面における下開口スリット部に嵌挿される部分の両側に、その下開口スリット部を挟む両側部を案内支持する下部仕切り板案内支持部が設けられている請求項１又は２記載の仕切り体。
【請求項４】
底板部及び側壁部にそれぞれ多数の透孔を有する上方開口の収容かごの内部に、その収容かごの内部を水平方向に区画する仕切り体が取り付けられてなる仕切り体付き収容かごであって、
前記仕切り体は、複数の仕切り板からなり、前記仕切り板は、一つの仕切り板における下端に開口する下開口スリット部に、他の仕切り板における上端に開口する上開口スリット部の下方に位置する下方嵌挿部が嵌挿されると共に、その上開口スリット部に、前記一つの仕切り板における下開口スリット部の上方に位置する上方嵌挿部が嵌挿されることにより、交差状に組み立てられるものであり、
前記上方嵌挿部の両面における上開口スリット部に嵌挿される部分の両側に、その上開口スリット部を挟む両側部を案内支持する上部仕切り板案内支持部が設けられていることを特徴とする仕切り体付き収容かご。
【請求項５】
上記各仕切り板の下端縁部及び外側縁部にそれぞれ下方突部及び外方突部が設けられ、これらの下方突部及び外方突部がそれぞれ上記収容かごの透孔に嵌合することにより、収容かごに対する仕切り体の位置決め及び収容かごからの仕切り体の脱落防止がなされている請求項４記載の仕切り体付き収容かご。
【請求項６】
上記仕切り板に多数の透孔が設けられている請求項４又は５記載の仕切り体付き収容かご。
【請求項７】
上記仕切り板の下端縁部及び外側縁部にそれぞれ補強リブが設けられている請求項４、５又は６記載の仕切り体付き収容かご。
【請求項８】
上記下方嵌挿部の両面における下開口スリット部に嵌挿される部分の両側に、その下開口スリット部を挟む両側部を案内支持する下部仕切り板案内支持部が設けられている請求項４乃至７の何れかに記載の仕切り体付き収容かご。
【発明の詳細な説明】
【技術分野】
【０００１】
本発明は、清掃用具を収容する収容かご等の内部を水平方向に区画することができる仕切り体及びその仕切り体が収容かごに取り付けられた仕切り体付き収容かごに関する。
【背景技術】
【０００２】
特開２００４−２２９７５５号公報（特許文献１）には、従来の技術として、円盤状の板に複数の排水孔が形成された底板と、脚板及び仕切板によって構成され、底板の上にスリットを設けた２枚の仕切板を十字に組み立てて載せことにより仕切られたバケツ内空間に、それぞれ別の清掃用具を収納することができる清掃用具収納容器が示されている。
【０００３】
また、特許文献１の請求項１には、有底容器である主胴部と、前記主胴部の内部に清掃用具を収納可能な大きさの空間が形成されるように配設された仕切部と、前記主胴部をバケツ内に挿入した際にバケツの上縁に係留される係留部とが一体に形成された清掃用具収納容器が開示されている。
【０００４】
前記従来技術の清掃用具収納容器の場合、各仕切板の製造は容易であるが、組み立てた場合に両仕切板同士の角度が変化したり各仕切板におけるスリットの両側部が変形して区画が変化し易く、バケツに対し位置が変化したり脱落するおそれもあった。
【０００５】
特許文献１の請求項１に記載されれた仕切部は、仕切り板が交差した状態に一体成形するものであるため製造コストが高くなり、不使用時に仕切部を取り出した場合に各仕切り板に分解し得ないので嵩張ることになる。
【特許文献１】特開２００４−２２９７５５号公報
【発明の開示】
【発明が解決しようとする課題】
【０００６】
本発明は、従来技術に存した上記のような課題に鑑み行われたものであって、その目的とするところは、仕切り体の組み立てを円滑に行うことができると共に、仕切り体における仕切り板の変形が効果的に防がれる仕切り体及びその仕切り体が取付けられた仕切り体付き収容かごを提供することにある。
【課題を解決するための手段】
【０００７】
上記目的を達成する本発明の仕切り体は、
複数の仕切り板からなる仕切り体であって、
前記仕切り板は、一つの仕切り板における下端に開口する下開口スリット部に、他の仕切り板における上端に開口する上開口スリット部の下方に位置する下方嵌挿部が嵌挿されると共に、その上開口スリット部に、前記一つの仕切り板における下開口スリット部の上方に位置する上方嵌挿部が嵌挿されることにより、交差状に組み立てられるものであり、
前記上方嵌挿部の両面における上開口スリット部に嵌挿される部分の両側に、その上開口スリット部を挟む両側部を案内支持する仕切り板案内支持部が設けられていることを特徴とする。
【０００８】
また本発明の仕切り体付き収容かごは、
底板部及び側壁部にそれぞれ多数の透孔を有する上方開口の収容かごの内部に、その収容かごの内部を水平方向に区画する仕切り体が取り付けられてなる仕切り体付き収容かごであって、
前記仕切り体は、複数の仕切り板からなり、前記仕切り板は、一つの仕切り板における下端に開口する下開口スリット部に、他の仕切り板における上端に開口する上開口スリット部の下方に位置する下方嵌挿部が嵌挿されると共に、その上開口スリット部に、前記一つの仕切り板における下開口スリット部の上方に位置する上方嵌挿部が嵌挿されることにより、交差状に組み立てられるものであり、
前記上方嵌挿部の両面における上開口スリット部に嵌挿される部分の両側に、その上開口スリット部を挟む両側部を案内支持する上部仕切り板案内支持部が設けられていることを特徴とする。
【０００９】
仕切り体は、一つの仕切り板における下端に開口する下開口スリット部に、他の仕切り板における上端に開口する上開口スリット部の下方に位置する下方嵌挿部が嵌挿されると共に、その上開口スリット部に、前記一つの仕切り板における下開口スリット部の上方に位置する上方嵌挿部が嵌挿されることにより、交差状に組み立てられ、上方嵌挿部の両面における上開口スリット部に嵌挿される部分の両側に、その上開口スリット部を挟む両側部を案内支持する仕切り板案内支持部が設けられている。そのため、仕切り体の組み立てを円滑に行うことができると共に、上開口スリット部に嵌挿された上方嵌挿部及びその上開口スリット部を挟む両側部が互いに仕切り板の厚み方向曲げを拘束し合うので、仕切り体の上部の変形が効果的に防がれる。
【００１０】
上記仕切り体は、上記各仕切り板の下端縁部及び外側縁部に、それぞれ取付け対象物の所定部位に嵌合させて位置決めするための下方突部及び外方突部が設けられているものとすることができる。
また上記仕切り体付き収容かごは、上記各仕切り板の下端縁部及び外側縁部にそれぞれ下方突部及び外方突部が設けられ、これらの下方突部及び外方突部がそれぞれ上記収容かごの透孔に嵌合することにより、収容かごに対する仕切り体の位置決め及び収容かごからの仕切り体の脱落防止がなされているものとすることができる。
【００１１】
各仕切り板の下端縁部及び外側縁部にそれぞれ下方突部及び外方突部が設けられ、これらの下方突部及び外方突部がそれぞれ取付け対象物の所定部位（収容かごの透孔）に嵌合することにより、取付け対象物（収容かご）に対する仕切り体の位置決め、仕切り体の変形防止及びそれによる区画の維持、並びに取付け対象物（収容かご）からの仕切り体の脱落防止がなされる。
【００１２】
上記仕切り板は、多数の透孔が設けられているものであることが好ましい。
この場合、仕切り体が通気性に富むので、収容かご等において仕切り体により仕切られた区画に収容された清掃用具等の収容物品の乾燥に効果が高い。
【００１３】
また上記仕切り板の下端縁部及び外側縁部にはそれぞれ補強リブが設けられていることが好ましい。仕切り体の剛性が高められ、仕切り体の変形や収容かごからの脱落が防がれる。
【００１４】
また、上記下方嵌挿部の両面における下開口スリット部に嵌挿される部分の両側に、その下開口スリット部を挟む両側部を案内支持する下部仕切り板案内支持部が設けられているものとすることができる。
【００１５】
この場合、仕切り体の組み立てをより円滑に行うことができると共に、下開口スリット部に嵌挿された下方嵌挿部及びその下開口スリット部を挟む両側部が互いに仕切り板の厚み方向曲げを拘束し合うので、仕切り体の下部の変形が効果的に防がれる。
【発明の効果】
【００１６】
本発明の仕切り体及び本発明の仕切り体付き収容かごは、仕切り体の組み立てを円滑に行うことができると共に、上開口スリット部に嵌挿される上方嵌挿部及びその上開口スリット部を挟む両側部が互いに仕切り板の厚み方向曲げを拘束し合うので、仕切り板の上部の変形が効果的に防がれる。また、取付け対象物（収容かご）に対する仕切り体の位置決め及び取付け対象物（収容かご）からの仕切り体の脱落防止がなされる。
【発明を実施するための最良の形態】
【００１７】
本発明の実施の形態を、図面を参照しつつ説明する。
【００１８】
図面は何れも本発明の実施の形態の一例についてのものであって、図１及び図２は仕切り体付き収容かご及びそれを収容し得るバケツの平面図及び正面図、図３は第１仕切り板の正面図、図４は第２仕切り板の右側面図、図５は仕切り体の正面図、図６は仕切り体の右側面図、図７は仕切り体の平面図、図８は仕切り体の底面図である。
【００１９】
仕切り体付き収容かごＡは、仕切り体１０により仕切られた各区画ＳＣに清掃用具等を収容するために使用し得る（清掃用具の収容に限るものではない）ものであって、把手Ｈを備えた収容かご１２と、第１仕切り板１４と第２仕切り板１６を直交状に組み立ててなる仕切り体１０からなる。仕切り体付き収容かごＡは、清掃用のバケツ等内に収納し得るが、バケツに収容するか否かは適宜選択し得ることは言うまでもない。例えば、使用後の清掃具等を収容かご１２に収容した場合における清掃具の乾燥等のためにバケツ内に収納しないこともあり得る。
【００２０】
収容かご１２は、長方形状の底板部１２ａと、内部を水平断面長方形状に囲む側壁部１２ｂからなり、底板部１２ａから上方に向かって漸次長方形状水平断面が拡大する箱形状であり、底板部１２ａ及び各側壁部１２ｂにそれぞれ多数の透孔１２ｃを有する。尤も、収容かご１２の内部の水平断面形状は長方形状に限らず、正方形状、その他の多角形状、円形状、楕円形状等を適宜選択し得る。
【００２１】
収容かご１２の内部には、仕切り体１０が取り付けられ、直交する第１仕切り板１４と第２仕切り板１６が何れも直立状をなすことにより、水平方向に略十字状に区画されている。第１仕切り板１４及び第２仕切り板１６には、何れもほぼ全面にわたり多数の透孔１８が設けられている。従って仕切り体１０が通気性に富むので、清掃用具等の収容物品の乾燥に効果が高い。
【００２２】
第１仕切り板１４は、収容かご１２内部を長方形状水平断面のうち長辺に平行な垂直面で区画する場合のその垂直面に対応する正面等脚台形状をなす。第１仕切り板１４の下端縁部の寸法は収容かご１２内における底板部１２ａの長辺の内部寸法に対応する。第１仕切り板１４の両外側縁部は、上向きに外方へ拡開しており、第１仕切り板１４の上端縁部の寸法は収容かご１２内における上部の長方形状水平断面の長辺の内部寸法に対応する。
【００２３】
第１仕切り板１４における水平方向における中央よりも右寄りの位置に、下端に開口する上下方向の下開口スリット部ＳＤを有する。下開口スリット部ＳＤの上端は第１仕切り板１４の上下方向におけるほぼ中央位置である。第１仕切り板１４における下開口スリット部ＳＤの下端開口部の両側は嵌合凹部２０に形成されている。第１仕切り板１４のうち、下開口スリット部ＳＤの上端から第１仕切り板１４の上端までの下開口スリット部ＳＤの上方延長線部が上方嵌挿部ＩＵである。
【００２４】
第１仕切り板１４の両面における上方嵌挿部ＩＵの両側に、上下方向の連続的なリブ状（必ずしも完全に連続であることを要しない）をなす上部仕切り板案内支持部ＧＵが設けられている。第１仕切り板１４の両面における下開口スリット部ＳＤの両側は、上下方向のリブ状をなす下開口スリット部補強部ＲＤが設けられ、上部仕切り板案内支持部ＧＵと上下に連続している。
【００２５】
第１仕切り板１４の両面における下開口スリット部ＳＤの開口部を除き嵌合凹部２０を含む下端縁部及び両外側縁部（両外側縁部の上端部を除く）には、それぞれ、水平方向のリブ状をなす底部補強部ＲＢ１及びやや上外方に傾斜した上下方向の側部補強部ＲＳ１が設けられている。左側の下開口スリット部補強部ＲＤは左側の底部補強部ＲＢ１及び側部補強部ＲＳ１に連続し、右側の下開口スリット部補強部ＲＤは右側の底部補強部ＲＢ１及び側部補強部ＲＳ１に連続している。
【００２６】
第１仕切り板１４の下端縁部の両外方部には、それぞれ、第１仕切り板１４の一部が下方に延出した下方突部２２が形成されている。
【００２７】
第１仕切り板１４の両外側縁部の上端部には、側部補強部ＲＳ１が存在せず、第１仕切り板１４の一部が側方に延出した上外方突部２４が形成されている。第１仕切り板１４の両外側縁部における側部補強部ＲＳ１の上端位置には、第１仕切り板１４の一部が側方に延出した下外方突部２６が形成されており、下外方突部２６と上方の上外方突部２４との間には非突出部を挟んでいる。
【００２８】
第２仕切り板１６は、収容かご１２内部を、長方形状水平断面のうち短辺に平行な垂直面で区画する場合の垂直面に対応する正面等脚台形状をなす。第２仕切り板１６の下端縁部の寸法は収容かご１２内における底板部１２ａの短辺の内部寸法に対応する。第２仕切り板１６の両外側縁部は、上向きに外方へ拡開しており、第２仕切り板１６の上端縁部の寸法は収容かご１２内における上部の長方形状水平断面の短辺の内部寸法に対応する。
【００２９】
図４において第２仕切り板１６における水平方向における中央よりも右寄りの位置に、上端に開口する上下方向の上開口スリット部ＳＵを有する。上開口スリット部ＳＵの下端は第２仕切り板１６の上下方向におけるほぼ中央位置である。第２仕切り板１６のうち、上開口スリット部ＳＵの下端から第２仕切り板１６の下端までの上開口スリット部ＳＵの下方延長線部が下方嵌挿部ＩＤである。
【００３０】
第２仕切り板１６の両面における下端縁部及び上端部を除く両外側縁部には、それぞれ、水平方向のリブ状をなす底部補強部ＲＢ２及びやや上外方に傾斜した上下方向の側部補強部ＲＳ２が設けられており、底部補強部ＲＢ２と側部補強部ＲＳ２は連続している。
【００３１】
第２仕切り板１６の下端縁部の両外方部には、それぞれ、第２仕切り板１６の一部が下方に延出した下方突部２８が形成されている。
【００３２】
第２仕切り板１６の両外側縁部の上端部には、側部補強部ＲＳ２が存在せず、第２仕切り板１６の一部が側方に延出した上外方突部３０が形成されている。第２仕切り板１６の両外側縁部における側部補強部ＲＳ２の上端位置には、第２仕切り板１６の一部が側方に延出した下外方突部３２が形成されており、下外方突部３２と上方の上外方突部３０との間には非突出部を挟んでいる。
【００３３】
第１仕切り板１４と第２仕切り板１６は、第１仕切り板１４の下開口スリット部ＳＤに第２仕切り板１６の下方嵌挿部ＩＤが嵌挿されると共に、第２仕切り板１６の上開口スリット部ＳＵに第１仕切り板１４の上方嵌挿部ＩＵが嵌挿されることにより、両仕切り板１４・１６の上端縁部及び下端縁部の高さが一致した直交状に組み立てられ、仕切り体１０を構成する。第１仕切り板１４の下開口スリット部ＳＤの下端開口部の両側の嵌合凹部２０には、第２仕切り板１６の底部補強部ＲＢ２が嵌合している。
【００３４】
第２仕切り板１６の上開口スリット部ＳＵを挟む両側部が、第１仕切り板１４における上部仕切り板案内支持部ＧＵにより案内されて直交状に組み立てられるので、仕切り体１０の組み立てを円滑に行うことができると共に、第２仕切り板１６の上開口スリット部ＳＵを挟む両側部の両面が第１仕切り板１４における上部仕切り板案内支持部ＧＵにより支持され、第２仕切り板１６の上開口スリット部ＳＵに嵌挿された第１仕切り板１４の上方嵌挿部ＩＵ及びその第２仕切り板１６の上開口スリット部ＳＵを挟む両側部が互いに各仕切り板の厚み方向曲げを拘束し合うので、第１仕切り板１４と第２仕切り板１６の上部同士が直交状を維持し、仕切り体１０の上部の変形が効果的に防がれる。
【００３５】
また、第１仕切り板１４と第２仕切り板１６の何れも、底部補強部と側部補強部を有するため、仕切り体１０の剛性が高められ、仕切り体１０の変形や収容かご１２からの脱落が防がれる。
【００３６】
各仕切り板の下端縁部及び両外側縁部にそれぞれ下方突部並びに下外方突部が設けられ、これらがそれぞれ収容かご１２の底板部１２ａ及び側壁部１２ｂの透孔１２ｃに嵌合することにより、収容かご１２に対する仕切り体１０の位置決め、仕切り体１０の変形防止及びそれによる区画ＳＣの維持、並びに収容かご１２からの仕切り体１０の脱落防止がなされる。各仕切り板の上外方突部２４は、収容かご１２の内部寸法が、上外方突部２４に対応する高さ位置で拡張するため、それに合わせて各仕切り板の上部を側方に拡張したものである。
【００３７】
仕切り体を構成する各仕切り板の交差部を上記例のように左右非対称位置とすることにより、仕切り体による区画の平面視の大きさや形状を複数種とすることができる。
【００３８】
仕切り体は２枚に限らず３枚以上の仕切り板を交差状に組み立てることもできる。例えば、１枚の仕切り板に対し２枚以上の仕切り板を交差状に組み立てることや、４枚の仕切り板を井桁状に組み立てることも可能である。仕切り体を構成する仕切り板同士は、直交状に交差するものとすることが好ましい。
【００３９】
前記の例では第１仕切り板１４に上部仕切り板案内支持部ＧＵと上下に連続して下開口スリット部補強部ＲＤを有するが、第１仕切り板１４に下開口スリット部補強部ＲＤを設けず、第２仕切り板１６の両面における下方嵌挿部ＩＤの両側に、上下方向の連続的なリブ状（必ずしも完全に連続であることを要しない）をなす下部仕切り板案内支持部を設けることもできる。この場合、第１仕切り板１４の下開口スリット部ＳＤを挟む両側部が、第２仕切り板１６における下部仕切り板案内支持部により案内されて直交状に組み立てられるので、仕切り体１０の組み立てを円滑に行うことができると共に、第１仕切り板１４の下開口スリット部ＳＤを挟む両側部の両面が第２仕切り板１６における下部仕切り板案内支持部により支持され、第１仕切り板１４の下開口スリット部ＳＤに嵌挿された第２仕切り板１６の下方嵌挿部ＩＤ及びその第１仕切り板１４の下開口スリット部ＳＤを挟む両側部が互いに各仕切り板の厚み方向曲げを拘束し合うので、第１仕切り板１４と第２仕切り板１６の下部同士が直交状を維持し、仕切り体１０の下部の変形が効果的に防がれる。
【００４０】
なお、以上の実施の形態についての記述における上下位置関係は、単に図に基づいた説明の便宜のためのものであって、実際の使用状態等を限定するものではない。また、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【図面の簡単な説明】
【００４１】
【図１】仕切り体付き収容かご及びそれを収容し得るバケツの平面図である。
【図２】仕切り体付き収容かご及びそれを収容し得るバケツの正面図である。
【図３】第１仕切り板の正面図である。
【図４】第２仕切り板の右側面図である。
【図５】仕切り体の正面図である。
【図６】仕切り体の右側面図である。
【図７】仕切り体の平面図である。
【図８】仕切り体の底面図である。
【符号の説明】
【００４２】
１０      仕切り体
１２ａ    底板部
１２ｂ    側壁部
１２ｃ    透孔
１４      第１仕切り板
１６      第２仕切り板
１８      透孔
２０      嵌合凹部
２２      下方突部
２４      上外方突部
２６      下外方突部
２８      下方突部
３０      上外方突部
３２      下外方突部
ＧＵ      上部仕切り板案内支持部
Ｈ        把手
ＩＤ      下方嵌挿部
ＩＵ      上方嵌挿部
ＲＢ１    底部補強部
ＲＢ２    底部補強部
ＲＤ      下開口スリット部補強部
ＲＳ１    側部補強部
ＲＳ２    側部補強部
ＳＣ      区画
ＳＤ      下開口スリット部
ＳＵ      上開口スリット部
ＳＵ      上開口スリット部
【図１】
2007314277.tif 000003
【図２】
2007314277.tif 000004
【図３】
2007314277.tif 000005
【図４】
2007314277.tif 000006
【図５】
2007314277.tif 000007
【図６】
2007314277.tif 000008
【図７】
2007314277.tif 000009
【図８】
2007314277.tif 000010